(57)【要約】【課題】偽造困難な偽造防止メディアを作製する。【解決手段】基体１の面上に、少なくとも感熱発色性組成物および光−熱変換材料を含有し、加熱もしくは特定波長の光を照射することによって可逆的に色調が変化するようになされている真偽判別層２０が、少なくとも一層形成されてなり、真偽判別層２０は、少なくとも、複数種類の感熱発色性組成物のうちから任意のものを選定して形成されてなるものとし、発色色調に応じて真偽判別を行うものとした偽造防止メディアを提供する。【選択図】      図２
2004262015.tif 000002
【特許請求の範囲】
【請求項１】
基体面上に、少なくとも感熱発色性組成物および光−熱変換材料を含有し、加熱もしくは特定波長の光を照射することによって可逆的に色調が変化するようになされている真偽判別層が、少なくとも一層形成されてなり、
上記真偽判別層は、少なくとも、複数種類の感熱発色性組成物のうちから任意のものを選定して形成されてなるものとし、発色色調に応じて真偽判別を行うものとしたことを特徴とする偽造防止メディア。
【請求項２】
上記真偽判別層は、少なくとも複数種類の上記感熱発色性組成物、および複数種類の上記光−熱変換材料のうちから、任意の組み合わせを選定して形成されてなるものとし、波長選択されたレーザー光を照射することによる発色色調に応じて真偽判別を行うものとしたことを特徴とする請求項１に記載の偽造防止メディア。
【請求項３】
上記基体の面上に、少なくとも二以上の上記真偽判別層が積層形成されてなり、
上記真偽判別層は、それぞれ、少なくとも複数種類の上記感熱発色性組成物、および複数種類の上記光−熱変換材料のうちから、任意の組み合わせを選定して形成されてなるものとし、加熱もしくは波長選択されたレーザー光の照射による発色色調に応じて真偽判別を行うものとしたことを特徴とする請求項１に記載の偽造防止メディア。
【請求項４】
上記複数の真偽判別層が、直接積層形成されていることを特徴とする請求項３に記載の偽造防止メディア。
【請求項５】
上記複数の真偽判別層が、断熱層を介して積層されていることを特徴とする請求項３に記載の偽造防止メディア。
【請求項６】
上記真偽判別層の任意の位置に、予め周囲と異なる色調に発色可能なパターンが形成されていることを特徴とする請求項１に記載の偽造防止メディア。
【請求項７】
基体面上に、少なくとも感熱発色性組成物および光−熱変換材料を含有し、加熱もしくは特定波長の光を照射することによって可逆的に色調が変化可能とした真偽判別層が、少なくとも一層形成されてなる偽造防止メディアを適用し、
上記真偽判別層を、少なくとも、複数種類の感熱発色性組成物、および複数種類の光−熱変換材料のうちから、任意の組み合わせを選定して形成し、
加熱もしくは波長選択したレーザー光の照射を行うことによる発色色調に応じて真偽判別を行うことを特徴とする偽造防止方法。
【請求項８】
基体面上に、少なくとも感熱発色性組成物および光−熱変換材料を含有し、加熱もしくは特定波長の光を照射することによって可逆的に色調が変化可能とした真偽判別層が、少なくとも二層以上形成されてなる偽造防止メディアを適用し、
上記複数の真偽判別層の積層順を任意に選定し、
加熱もしくは波長選択したレーザー光の照射を行うことによる発色色調に応じて真偽判別を行うことを特徴とする請求項７に記載の偽造防止方法。
【請求項９】
上記複数の真偽判別層が、断熱層を介して形成されてなる偽造防止メディアを適用し、
上記断熱層の膜厚、および断熱層の積層数を任意に選択し、
加熱もしくは波長選択したレーザー光の照射を行うことによる発色色調に応じて真偽判別を行うことを特徴とする請求項８に記載の偽造防止方法。
【発明の詳細な説明】
【０００１】
【発明の属する技術分野】
本発明は、クレジットカード、キャッシュカード、会員カード等の金融やサービス業で使用される各種メディアに関するものであり、これらの偽造を困難化し、偽造メディアの使用を防止する技術に関するものである。
【０００２】
【従来の技術】
近年、例えば預貯金の預け入れのためのキャッシュカードや、会員であることの証明カード、信用取引を行うためのＩＤカード等の各種所定の情報をやり取りするためのメディア類が広く汎用されている。これらは、それ自体が金銭的価値を持つものや、そのものには金銭的価値がなくても、クレジットカードのように不正使用されると大きな経済的損失を被るようなものがある。
【０００３】
このような各種メディア類の偽物を作製する偽造や、本物を入手して不正な変更を行う変造を防止するために、従来においては、ホログラムラベル等を貼付したり、磁気記録等によって所定の情報を内在させたり、顔写真を印刷する等の手段によって正規な所有者であることが容易に識別できるように工夫されている。
【０００４】
しかしながら、近年においては、所定の情報が記録されている磁気ストライプも、磁気カードリーダやライターが広く出回っていることから、偽造者が必要とする情報のみを偽造したり変造したりする可能となってきており、さらにはカラーコピー機の性能向上に伴って、カード面のデザインをそっくりコピーすることも容易に行われるようになってきている。
また、ホログラムシールの絵柄自体を真似て作ることは困難であるが、正規品のクレジットカードを入手してホログラムシールを剥がし、不正に作製したカードに貼り替えることは可能であり、このような巧妙な不正手段を防止する方法が望まれていた。
【０００５】
一方において、一枚のカードに磁気ストライプとＩＣチップを搭載して、ＩＣチップの偽造や記録情報の改ざんが困難である性質を利用して、単に磁気ストライプの情報を複製しただけではカードの複製ができないようにし、偽造を防止するという提案もなされているが、ＩＣチップの書き換えも同時に行えば、カードが正規に発行されたものかどうかを判別することは困難となってしまう。
【０００６】
ところで、近年においては、カード本体の偽造を防止するために、カードに予め付加したセキュリティマークを検出し、カードが正規のものであるかどうかを判別する手段が検討されており、セキュリティマークがカードリーダ内でのみ検出できるように、セキュリティマークを形成するインキとして可逆型感熱変色インキを用いる方法が提案されている（例えば、下記特許文献１参照。）。また、酸素の有無に応じて可逆的に変色するインキを用いてセキュリティマークを作製する方法も提案されている（例えば、下記特許文献２参照。）。
【０００７】
しかしながら、上記各提案においては、セキュリティマークの有無のみを単色で検出しているため、カードに用いている可逆性熱変色インクと類似のインクや、酸素の有無で発消色を行うインクを入手できれば、カードの偽造、複製は容易なものになると言え、偽造防止手段としては未だ不完全である。
【０００８】
【特許文献１】
特開平５−２３３９０２号公報
【特許文献２】
特開２００２−１０３７７８号公報
【０００９】
【発明が解決しようとする課題】
そこで本発明においては、上述した従来技術の問題点に鑑みて、繰り返し使用する各種メディア類について、正規なメディア発行者以外はメディアの作製、複製が極めて困難な、偽造防止効果の高いメディアおよびこれを用いた偽造防止方法を提供することとした。
【００１０】
【課題を解決するための手段】
本発明の偽造防止メディアは、基体面上に、少なくとも感熱発色性組成物および光−熱変換材料を含有し、加熱もしくは特定波長の光を照射することによって可逆的に色調が変化するようになされている真偽判別層が、少なくとも一層形成されてなる構成を有するものとし、この真偽判別層は、少なくとも、複数種類の感熱発色性組成物のうちから任意のものを選定して形成されてなるものとし、発色色調に応じて真偽判別を行うものとする。
【００１１】
本発明の偽造防止方法は、基体面上に、少なくとも感熱発色性組成物および光−熱変換材料を含有し、加熱もしくは特定波長の光を照射することによって可逆的に色調が変化可能とした真偽判別層が、少なくとも一層形成されてなる偽造防止メディアを適用し、真偽判別層を、少なくとも、複数種類の感熱発色性組成物、および複数種類の光−熱変換材料のうちから、任意の組み合わせを選定して形成することとし、加熱もしくは波長選択したレーザー光の照射を行うことによる発色色調に応じて真偽判別を行うものとする。
【００１２】
本発明によれば、携帯可能な各種メディアに関し、偽造を困難化し、真正品が偽造品かの判別を容易化し、偽造メディアの使用を効果的に防止できる。
【００１３】
【発明の実施の形態】
以下、本発明の具体的な実施の形態について、図を参照して説明するが、本発明の偽造防止メディアおよび偽造防止方法は、以下の例に限定されるものではない。
【００１４】
図１に、本発明の偽造防止メディア１０の一例の概略平面図を示す。
偽造防止メディア１０は、例えばカード型の基体１の一主面上の所定の位置に、後述する真偽判別層２０が成膜されており、平面的には、基体１の所定の位置に、真偽判別層を構成要素とする真偽判別エリア２が形成された構成を有している。
【００１５】
なお、偽造防止メディア１０の所定部分には、例えば会員情報を記録するための磁気ストライプが配設されていてもよく、所定のＩＣ等が内蔵されていてもよい。また、基体１の主面には、例えば会員を特定するための写真部３や、会員番号等の所定の情報が設けられた印刷部４やエンボス部５が設けられていてもよい。
【００１６】
次に、図１において示した真偽判別エリア２について、図２の概略断面図を示して説明する。
図２に示すように、真偽判別エリア２は、基体１上に真偽判別層２０、この例においては第１の真偽判別層２１と第２の真偽判別層２２とが断熱層２３を介して形成されており最表層として保護層２４が形成された構成を有しているものとする。
【００１７】
基体１は、例えば汎用されているキャッシュカードや、会員証明用、信用取引用のＩＤカード等の各種カード類、その他の各種メディア用の支持体として適用可能なものをいずれも適用できる。例えばポリエステル、硬質塩化ビニル等の高分子材料の他、ガラス材料、ステンレス等の金属材料、あるいは紙等の材料から適宜選択できる。
【００１８】
第１の真偽判別層２１および第２の真偽判別層２２は、可逆的に消色状態と発色状態とを制御し得る感熱発色性組成物を用いて形成するものとし、それぞれ異なる波長の赤外線を吸収して発熱する赤外線吸収色素、すなわち光−熱変換材料と、ロイコ染料、顕色剤、その他消去助剤や安定剤等の各種添加剤を、溶媒を用いて樹脂母材中に分散させた塗料を塗布することによって形成されている。
【００１９】
第１の真偽判別層２１、および第２の真偽判別層２２に含有されている光−熱変換材料は、波長選択的に光を吸収し熱変換する材料であり、例えば、フタロシアニン系色素やシアニン系色素、金属錯体等が挙げられる。
第１の真偽判別層２１、第２の真偽判別層２２に含有されている光−熱変換材料は、それぞれ異なる波長域に吸収をもつものとし、図２においては、第１の真偽判別層２１が波長λ１の赤外線を、第２の真偽判別層２２が波長λ２の赤外線をそれぞれ吸収して発熱する材料を含有しているものとする。ここで、任意の層のみを発色させるために、光−熱変換材料の吸収帯が狭く、互いに重なり合わない材料の組み合わせを選択することが好ましい。例えば吸収スペクトルが急峻なシアニン系色素、またはフタロシアニン系色素を適用することによって色かぶりを回避できる。
【００２０】
ロイコ染料としては、既存の感熱紙用染料等を適用することができる。顕色剤としては、従来これらに用いられている長鎖アルキル基を有する有機酸（特開平５−１２４３６０号公報、特開平７−１０８７６１号公報、特開平７−１８８２９４号公報、特開２００１−１０５７３３号公報、特開２００１−１１３８２９号公報等に記載）等を適用することができる。
【００２１】
第１に真偽判別層２１および第２の真偽判定層２２を構成する樹脂材料としては、例えばポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。これらの樹脂に必要に応じて紫外線吸収剤等の各種添加剤を併用してもよい。
【００２２】
偽造防止メディア１０は、第１の真偽判別層２１および第２の真偽判別層２２を、それぞれ少なくとも複数種類の感熱発色性組成物のうちから任意のものを選定し、任意の膜厚に選定して形成する。さらには、複数種類の光−熱変換材料から任意のものを選定することによって、感熱発色性組成物、光−熱変換材料、および膜厚の組み合わせ条件を多数設定することができ、加熱処理もしくは波長選択したレーザー光の照射を行った際に、発色色調に変化が付けられ、これに応じて真偽判別が可能となる。
【００２３】
このことから、各メディア毎、もしくは各メディアの製造元において、それぞれ個別的に構成材料の組み合わせや膜厚等の作製条件を多数設定することができるので、作製条件そのものを情報化でき、色調変化を判別することにより、各メディアの発行元や製造元等を判定でき、真正品が偽造品かを選別可能となる。
また、作製条件に応じてスペクトルも変化するので、かかる情報から発行元と所定の情報とが整合しているかどうかを判断することができ、真偽の判別を行うことができる。
【００２４】
また、複数の真偽判別層を積層形成する場合、これらの間に、断熱層２３を設けてもよい。
断熱層２３を設けない場合には、第１の真偽判別層２１の発色と、第２の真偽判別層２２の発色との混合色を発色させることができ、一方、断熱層２３を設けると、各真偽判別層の発色をそれぞれ別個に起こるようにすることができる。よって、上述したような、感熱発色性組成物や光−熱変換材料の組み合わせの選定や真偽判別層２１、２２の膜厚の選定とともに、断熱層２３の有無の選択のパターンを組み合わせることによって、さらに偽造防止メディア１０の作製パターンを多様化させることができ、偽造困難性の向上が図られる。
【００２５】
断熱層２３は、従来公知の透光性のポリマーを用いて形成することができる。例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。これらを混合して用いても、また、これらのポリマーに必要に応じて紫外線吸収剤等の各種添加剤を併用してもよい。
【００２６】
また、断熱層２３は、透光性の無機膜を用いて形成してもよい。例えば、多孔質のシリカ、アルミナ、チタニア、カーボンまたはこれらの複合体などを用いると、熱伝導率が低く好ましい。これらは、液層から膜形成できるゾル−ゲル法によって形成することができる。
【００２７】
また、断熱層２３の膜厚を任意に選定して形成することによって、積層されている真偽判別層の互いの発色の干渉を制御することができるので、作製条件が多様化され、偽造防止効果の向上を図ることができる。
例えば、波長λ１のレーザー光を照射したときの第１の真偽判別層２１の発色と、第２の真偽判別層２２の発色の比率と、波長λ２のレーザー光を照射した時の第１の真偽判別層２１の発色と第２の真偽判別層２２の発色の比率とを測定することによって、断熱層２３の膜厚を検出することができ、これによってカードの真偽の区別を行うことが可能となる。
【００２８】
なお、各真偽判別層２１、２２の色消去は、パワー制御したレーザーを照射もしくは、真偽判別層２０全体を所定の温度に加熱することにより行うことができる。
【００２９】
真偽判別エリア２の最上層には、保護層２４を設けてもよい。保護層１６は、従来公知の紫外線硬化性樹脂や熱硬化性樹脂を用いて形成することができる。
保護層２４が伝熱性の材料によって形成されている場合には、サーマルヘッドを用いて発色および／または消色を制御することもできる。
【００３０】
上述したことから明らかなように、加熱処理もしくは所定波長のレーザー光の照射を行った場合に、断熱層２３の有無、断熱層２３の膜厚、真偽判別層２０中の光−熱変換材料と組み合わせる感熱発色性組成物、および真偽判別層の膜厚をそれぞれ任意選択して組み合わせることにより、発色色調を制御することが可能であるので、カード偽造者が完全に同じ組み合わせを再現することは非常に困難であり、偽造は極めて困難であると言える。
【００３１】
また、真偽判別層の任意の位置に、予め周囲と異なる色調に発色可能なパターンが形成されているものとすることにより、さらに作製条件の組み合わせ条件を増加させることができ、偽造や模倣を困難化することが可能となる。
【００３２】
図３に、本発明の偽造防止メディアの他の一例の、要部の概略斜視図として、上述したような真偽判別層を四層積層形成させた場合を示す。
これらの第１〜第４の真偽判別層３１〜３４は、それぞれ波長λ１、λ２、λ３、λ４のレーザー光を照射することにより、それぞれ発色、消色を制御することができるものとする。
【００３３】
図３中の第２の真偽判別層３２には、波長λ２のレーザー光を照射することによって、異なる色で○型に発色するパターンＡをあらかじめ設けておき、第４の真偽判別層３４には、波長λ４のレーザー光を照射することによって、周囲とは異なる色で△型に発色するパターンＢを予め形成したものとする。
このように、複数の真偽判別層を積層形成し、任意の層において周囲と異なる色に発色するパターンを設けることによって、さらに組み合わせの自由度を高め、偽造を困難化することが可能となる。予め形成するパターンは可逆的に発色、消色を行う組成だけでなく、通常の印刷などで記録した消去できないパターンであってもよい。
【００３４】
【実施例】
次に、本発明の具体的な実施例を挙げて説明するが、本発明は以下に示す例に限定されるものではない。
【００３５】
〔実施例１〕
偽造防止メディア用基体として、厚さ１ｍｍのポリエチレンテレフタレートを用いた。
感熱発色性組成物として下記の二種類を用意した。
【００３６】
▲１▼第１のロイコ染料：１重量部
（山田化学工業製Ｈ−３０３５、発色時シアン、発色波長６６０ｎｍ）
フェノール系顕色剤（下記〔化１〕に示す化合物）：４重量部
【００３７】
【化１】
2004262015.tif 000003
【００３８】
塩化ビニル酢酸ビニル共重合体：１０重量部
（塩化ビニル９０％、酢酸ビニル１０％、平均分子量１１５００）
テトラヒドロフラン：１４０重量部
▲２▼第２のロイコ染料：２重量部
（保土ケ谷化学社製ＲｅｄＤＣＦ  発色時マゼンダ、発色波長５３０ｎｍ）
フェノール系顕色剤（上記〔化１〕に示す化合物）：４重量部
塩化ビニル酢酸ビニル共重合体：１０重量部
（塩化ビニル９０％、酢酸ビニル１０％、平均分子量１１５００）
テトラヒドロフラン：１４０重量部
【００３９】
光−熱変換材料としては、下記の二種類（ア，イ）を用意した。
（ア）：シアニン系近赤外吸収色素：０．０８重量部
（日本化薬製  ＣＹ−１０  吸収ピーク波長７９０ｎｍ）
（イ）：シアニン系近赤外吸収色素：０．０８重量部
（山本化成ＹＫＲ−２９００  吸収ピーク波長８３０ｎｍ）
（ウ）光−熱変換材料なし
これらの光−熱変換材料ア，イと、上記の第１のロイコ染料▲１▼と第２のロイコ染料▲２▼とを任意に組み合わせて塗料を作製した。
【００４０】
作製した塗料を、図２に示す層構成に従い、それぞれの組み合わせを変えながら塗布し、真偽判別エリアを形成した。
なお、各真偽判別層は上記塗料をワイヤーバーで塗布し、１１０℃にて５分間加熱乾燥処理を施し、膜厚を４μｍとして作製した。
断熱層２３には、ポリビニルアルコール水溶液を用いた。断熱層２３の膜厚は２０μｍとした。
【００４１】
第１の真偽判別層２１と第２の真偽判別層２２の材料構成を下記に示す。
なお、下記においては、（第１の真偽判別層、第２の真偽判別層）とし、これらにおいて選択されたロイコ染料と光−熱変換材料との組み合わせを示す。
【００４２】
（▲１▼−ア、▲１▼−ア）、（▲１▼−ア、▲２▼−ア）
（▲１▼−ア、▲１▼−イ）、（▲１▼−ア、▲２▼−イ）
（▲１▼−ア、▲１▼−ウ）、（▲１▼−ア、▲２▼−ウ）
（▲２▼−ア、▲１▼−ア）、（▲２▼−ア、▲２▼−ア）
（▲２▼−ア、▲１▼−イ）、（▲２▼−ア、▲２▼−イ）
（▲２▼−ア、▲１▼−ウ）、（▲２▼−ア、▲２▼−ウ）
（▲１▼−イ、▲１▼−ア）、（▲１▼−イ、▲２▼−ア）
（▲１▼−イ、▲１▼−イ）、（▲１▼−イ、▲２▼−イ）
（▲１▼−イ、▲１▼−ウ）、（▲１▼−イ、▲２▼−ウ）
（▲２▼−イ、▲１▼−ア）、（▲２▼−イ、▲２▼−ア）
（▲２▼−イ、▲１▼−イ）、（▲２▼−イ、▲２▼−イ）
（▲２▼−イ、▲１▼−ウ）、（▲２▼−イ、▲２▼−ウ）
（▲１▼−ウ、▲１▼−ア）、（▲１▼−ウ、▲２▼−ア）
（▲１▼−ウ、▲１▼−イ）、（▲１▼−ウ、▲２▼−イ）
（▲１▼−ウ、▲１▼−ウ）、（▲１▼−ウ、▲２▼−ウ）
（▲２▼−ウ、▲１▼−ア）、（▲２▼−ウ、▲２▼−ア）
（▲２▼−ウ、▲１▼−イ）、（▲２▼−ウ、▲２▼−イ）
（▲２▼−ウ、▲１▼−ウ）、（▲２▼−ウ、▲２▼−ウ）
上記３６通りの構成を有するサンプルを作製した。
【００４３】
上述のようにして作製した３６種類のサンプル偽造防止メディアに、それぞれ波長７８５ｎｍ、および８３０ｎｍのレーザー光（７０ｍＷ）を、スポット径８０μｍに絞って、矩形にレーザービームを掃引し、照射して発色させた。レーザーの掃引速度は３００ｍｍ／ｓとした。
また、消色を行う際には、レーザーの絞りを２００μｍに広げ、２００ｍｍ／ｓでゆるやかに加熱した。
このようにすることにより、発色状態と消色状態とを制御することができた。
また、上記３６種類のサンプルに、それぞれ市販の感熱プリンタによる加熱処理を施して発色させた。
それぞれのサンプルの発色状態を結果を下記表１に示す。
【００４４】
【表１】
2004262015.tif 000004
【００４５】
表１に示すように、ロイコ染料と光−熱変換材料とを任意に選択して組み合わせ、第１の真偽判別層２１と第２の真偽判別層とを形成したことにより、波長選択したレーザー光を照射し、あるいは加熱処理を施すことにより、異なる発色状態が得られた。
【００４６】
上述したような結果を利用し、各メディア毎、もしくはロット毎に、組み合わせの条件に関する情報とメディアの発行者の情報とを照会することにより、メディアが偽造であるか真正であるかどうかの判別ができる。
【００４７】
また、さらには、上述した例の他、ロイコ染料をとして異なる色のものを適用したり、真偽判別層の積層数を増やしたり、真偽判別層間の断熱層の膜厚を制御したりし、これらの作製条件を任意の組み合わせに選定可能とすることにより、さらに偽造防止効果を高めることが可能となる。
【００４８】
更には、目視で確認できる情報のみならず、発色時の色素の吸収極大波長を特定することにより、目視では判別しがたい差異についても真偽判別情報とすることができ、さらに偽造防止効果の向上が図られる。
【００４９】
［実施例２］
図４Ａに示すように、上記実施例１において示したロイコ染料▲１▼と光−熱変材料（ア）との組み合わせにより第１のエリア２ａを、ロイコ染料▲１▼と光−熱変換材料（ウ）との組み合わせにより第２のエリア２ｂを、それぞれマスクを用いて塗り分けたパターンを一層形成した。その他の作製条件は上記実施例１と同様とする。
感熱プリンタのサーマルヘッドを用いて加熱処理を行ったところ、図４Ｂに示す様に真偽判別エリア２全面がシアン色に発色した。
一方、７８５ｎｍのレーザー光を実施例１と同様の方法で照射した結果、図４Ｃに示すように、真偽判別エリア２の第１のエリア２ａのみがシアン色に発色した。
【００５０】
このように所定の真偽判別層において複数色に発色可能な塗り分けパターンを形成することにより、メディア作製の選択条件とすることができ、これを発行者の情報と照合することによって真偽判別を行うことが可能となる。
【００５１】
【発明の効果】
本発明によれば、可逆的に発色および消色を行う真偽判別層を少なくとも一層形成し、この真偽判別層に含有する感熱発色性組成物や、光−熱変換材料等を任意に選択し、組み合わせることにより、メディア毎に発行者が保持している情報と、真偽判別層の発色パターンとを比較することによって正規に発行されたものであるかどうかの真偽判別が可能となった。
【００５２】
また、真偽判別層間の断熱層の有無や膜厚を選択したり、異なる色に発色可能なパターンや塗り分け部分を形成する等の成膜条件を選定したりし、上記材料の組み合わせと合わせて任意の組み合わせを選択可能とすることによって、さらに多くの組み合わせを得ることができ、再現の困難性を向上させ、偽造防止効果の向上を図ることができた。
【図面の簡単な説明】
【図１】本発明の偽造防止メディアの一例の概略平面図を示す。
【図２】本発明の偽造防止メディアの要部の概略断面図を示す。
【図３】本発明の偽造防止メディアの要部の他の例の概略斜視図を示す。
【図４】Ａ〜Ｃ  本発明の偽造防止メディアの要部の形成パターンを示す。
【符号の説明】
１……基体、２……真偽判別エリア、３……写真部、４……印刷部、５……エンボス部、１０……偽造防止メディア、２０……真偽判別層、２１……第１の真偽判別層、２２……第２の真偽判別層、２３……断熱層、２４……保護層、３１〜３４……第１〜第４の真偽判別層
【図１】
2004262015.tif 000005
【図２】
2004262015.tif 000006
【図３】
2004262015.tif 000007
【図４】
2004262015.tif 000008